(57)【要約】【課題】  蓋を閉じた状態では箱型の形状であるものの、蓋を開いた状態では本体を斜めに傾けて筆記具を取り出し易くしたペンケースを提供する。【解決手段】  上面が開口する箱型の本体１と、その上面を覆う蓋部２と、本体１の底面に接着する第１の底面部４と、第１の底面部４と蓋部２を接続する接続部３とを備え、接続部３が蓋部２の背面側の端辺に接続すると共に、第１の底面部４の底面側の端辺に接続するものであり、接続部３の接続辺３ａ，３ｂでは折り曲げ可能となっており、蓋部２を開いて底面側に折り返して使用状態にすると、蓋部２の裏面が底面となって接続部３で本体１の背面部１４を持ち上げるようになり、本体１を斜めに傾けられるペンケースである。【選択図】        図１
0003235145.tif 000002
【実用新案登録請求の範囲】
【請求項１】
ペンケースであって、
底面部と、正面部と、背面部と、左右の側面部とを備える箱型の本体と、
前記本体の開口面を覆う蓋部と、
前記本体と前記蓋部とを接続する接続部と、を有し、
前記接続部の一方の辺は、前記本体の前記底面部の背面側の端辺に接続し、前記接続部が折り曲げ可能であり、
前記接続部の他方の辺は、前記蓋部が閉じられた状態で前記蓋部の前記背面側の端辺に接続し、前記蓋部が折り曲げ可能であり、
前記正面に設けられた第１の固定部と、前記蓋部の前記正面側の端辺に設けられた第２の固定部とが固定されることを特徴とするペンケース。
【請求項２】
蓋部を開いて本体の底面側に折り返した状態にすると、側面から見て底面部と前記蓋部と接続部で三角形の空間が形成されることを特徴とする請求項１記載のペンケース。
【請求項３】
蓋部の裏面に滑り止め部を設けたことを特徴とする請求項１又は２記載のペンケース。
【請求項４】
底面部の正面側の端辺には、第３の固定部が設けられており、
第１の固定部は、本体の正面部の上端に設けられ、
第２の固定部は、蓋部の端辺の表面と裏面に設けられ、
前記蓋部の端辺の裏面の第２の固定部が前記第１の固定部に接着可能とし、前記蓋部の端辺の表面の第２の固定部が前記第３の固定部に接着可能とすることを特徴とする請求項１乃至３のいずれか記載のペンケース。
【請求項５】
底面部、接続部及び蓋部を同じ素材で一体に形成され、
前記底面部と前記接続部との接続辺を折り曲げ可能とし、前記蓋部と前記接続部との接続辺を折り曲げ可能としたことを特徴とする請求項１乃至４のいずれか記載のペンケース。
【考案の詳細な説明】
【技術分野】
【０００１】
本考案は、ペンケースに係り、特に、本体を傾けて筆記具を取り出し易くし、トレーのように使用できるペンケースに関する。
【背景技術】
【０００２】
［先行技術の説明］
従来のペンケースには、片開の箱型形状のものがある。
また、ペンケースが机上から落下しないように滑り止めを底面に設けるものがあった。
【０００３】
［関連技術］
尚、関連する先行技術としては、特開昭６２−２７５４０４号公報「筆入れの滑り止め落下防止方法」（特許文献１）がある。
特許文献１には、筆入れの底面に滑り止め防止の軟鉄板等の素材を取り付けたことが記載されている。
【先行技術文献】
【特許文献】
【０００４】
【特許文献１】特開昭６２−２７５４０４号公報
【考案の概要】
【考案が解決しようとする課題】
【０００５】
しかしながら、従来のペンケースでは、蓋を閉じた状態では箱型のシンプルな形状でありながら、蓋を開いた状態で本体を斜めに傾けて筆記具を取り出し易くできるものとはなっていないという問題点があった。
【０００６】
尚、特許文献１には、蓋を開いた状態では本体を斜めに傾けて筆記具を取り出し易くした構成については記載がない。
【０００７】
本考案は上記実状に鑑みて為されたものであり、蓋を閉じた状態ではシンプルな箱型の形状であるものの、蓋を開いた状態では本体を斜めに傾けて筆記具を取り出し易くしたペンケースを提供することを目的とする。
【課題を解決するための手段】
【０００８】
上記従来例の問題点を解決するための本考案は、ペンケースであって、底面部と、正面部と、背面部と、左右の側面部とを備える箱型の本体と、本体の開口面を覆う蓋部と、本体と蓋部とを接続する接続部と、を有し、接続部の一方の辺は、本体の底面部の背面側の端辺に接続し、接続部が折り曲げ可能であり、接続部の他方の辺は、蓋部が閉じられた状態で蓋部の背面側の端辺に接続し、蓋部が折り曲げ可能であり、正面に設けられた第１の固定部と、蓋部の正面側の端辺に設けられた第２の固定部とが固定されることを特徴とする。
【０００９】
本考案は、上記ペンケースにおいて、蓋部を開いて本体の底面側に折り返した状態にすると、側面から見て底面部と蓋部と接続部で三角形の空間が形成されることを特徴とする。
【００１０】
本考案は、上記ペンケースにおいて、蓋部の裏面に滑り止め部を設けたことを特徴とする。
【００１１】
本考案は、上記ペンケースにおいて、底面部の正面側の端辺には、第３の固定部が設けられており、第１の固定部は、本体の正面部の上端に設けられ、第２の固定部は、蓋部の端辺の表面と裏面に設けられ、蓋部の端辺の裏面の第２の固定部が第１の固定部に接着可能とし、蓋部の端辺の表面の第２の固定部が第３の固定部に接着可能とすることを特徴とする。
【００１２】
本考案は、上記ペンケースにおいて、底面部、接続部及び蓋部を同じ素材で一体に形成され、底面部と接続部との接続辺を折り曲げ可能とし、蓋部と接続部との接続辺を折り曲げ可能としたことを特徴とする。
【考案の効果】
【００１３】
本考案によれば、底面部と、正面部と、背面部と、左右の側面部とを備える箱型の本体と、本体の開口面を覆う蓋部と、本体と蓋部とを接続する接続部とを有し、接続部の一方の辺は、本体の底面部の背面側の端辺に接続し、接続部が折り曲げ可能であり、接続部の他方の辺は、蓋部が閉じられた状態で蓋部の背面側の端辺に接続し、蓋部が折り曲げ可能であり、正面に設けられた第１の固定部と、蓋部の正面側の端辺に設けられた第２の固定部とが固定されるペンケースとしているので、蓋部を開いて底面側に折り返して使用状態にすると、蓋部の裏面が底面となって接続部で本体の背面部を持ち上げるようになるので、本体を斜めに傾けて本体から筆記具を取り出し易くできる効果がある。
【００１４】
本考案によれば、底面部の正面側の端辺には、第３の固定部が設けられており、第１の固定部は、本体の正面部の上端に設けれ、第２の固定部は、蓋部の端辺の表面と裏面に設けられ、蓋部の端辺の裏面の第２の固定部が第１の固定部に接着可能とし、蓋部の端辺の表面の第２の固定部が第３の固定部に接着可能とする上記ペンケースとしているので、閉じた状態で蓋部を固定でき、使用状態でも蓋部と第１の底面部とを固定できるので、本体を斜めに傾けた状態を保持できる効果がある。
【図面の簡単な説明】
【００１５】
【図１】本ペンケースの使用時の斜視図である。
【図２】本ペンケースの蓋部が閉じた状態の右側面図である。
【図３】本ペンケースの蓋部が開いた状態の右側面図である。
【図４】本ペンケースの蓋部を底面側に折り曲げた使用時の右側面図である。
【図５】本ペンケースの使用時の正面図である。
【図６】本ペンケースの使用時の背面図である。
【図７】本ペンケースの蓋部が開いた状態の平面図である。
【考案を実施するための形態】
【００１６】
本考案の実施の形態について図面を参照しながら説明する。
［実施の形態の概要］
本考案の実施の形態に係るペンケース（本ペンケース）は、上面が開口する箱型の本体と、その上面を覆う蓋部と、本体の底面に接着する第１の底面部と、第１の底面部と蓋部を接続する接続部とを備え、接続部が蓋部の背面側の端辺に接続すると共に、第１の底面部の底面側の端辺に接続するものであり、接続部の各接続辺では折り曲げ可能となっており、蓋部を開いて底面側に折り返して使用状態にすると、蓋部の裏面が底面となって接続部で本体の背面部を持ち上げるようになるので、本体を斜めに傾けて本体から筆記具を取り出し易くしたものである。
【００１７】
［本ペンケース：図１〜６］
本ペンケースについて図１〜６を参照しながら説明する。図１は、本ペンケースの使用時の斜視図であり、図２は、本ペンケースの蓋部が閉じた状態の右側面図であり、図３は、本ペンケースの蓋部が開いた状態の右側面図であり、図４は、本ペンケースの蓋部を底面側に折り曲げた使用時の右側面図であり、図５は、本ペンケースの使用時の正面図であり、図６は、本ペンケースの使用時の背面図である。
本ペンケースは、箱型の形状をしており、図２に示すように、本体１と、蓋部２と、接続部３と、第１の底面部４とを備えている。
【００１８】
［本ペンケースの各部］
［本体１］
本体１は、正面部１１と、右側面部１２と、左側面部１３と、背面部１４と、第２の底面部１５とを備え、プラスチック等により一体に形成される。本体１の材質は、例えば、ＡＢＳ樹脂（アクリロニトリル［Acrylonitrile］、ブタジエン［Butadiene］、スチレン［Styrene］共重合合成樹脂）を用いている。
尚、本体１の内部には、ペンホルダー１６が取り付けられている。ペンホルダー１６の材質は、例えば、ＰＥ（ポリエチレン）を用いている。
また、正面部１１の中央上端には、蓋部２を固定するためのマグネット１７が取り付けられている。このマグネット１７は、請求項で「第１の固定部」としている。
【００１９】
［蓋部２］
蓋部２は、正面側の端辺の中央の表裏に鉄片２１を備えている。この鉄片２１を請求項では「第２の固定部」としている。
鉄片２１の裏面は、正面部１１の上端に設けられたマグネット１７に接着して蓋部２を正面部１１に固定するものである。
【００２０】
また、鉄片２１の表面は、第１の底面部４に設けられたマグネット４１に接着して蓋部２を第１の底面部４に固定するものである。マグネット４１は、後述するように請求項では「第３の固定部」である。
更に、蓋部２の裏面には、長辺に沿って２本の帯状の滑り止め部２２ａ，２２ｂが形成されている。
滑り止め部２２ａ，２２ｂ（まとめて滑り止め部２２と呼ぶことがある）は、後述するように印刷されて形成される。
【００２１】
尚、第１の底面部４は、蓋部２及び接続部３と同じ素材で取り付けられている。
つまり、蓋部２と、接続部３と、第１の底面部４とは同じ素材で一体に形成され、各部の接続辺が折り曲げ可能となっている。蓋部２等の材質は、例えば、ＰＵ（ポリウレタン）を用いている。
【００２２】
［接続部３］
接続部３は、蓋部２と第１の底面部４とを接続するものであり、蓋部２を閉じた状態で背面部１４を覆うようになっている。
接続部３において、蓋部２の背面側の端辺に接する接続辺３ａは、当該辺を中心に蓋部２を回転可能としている。
また、接続部３において、第１の底面部４の背面側の端辺に接する接続辺３ｂは、当該辺を中心に接続部３を回転可能としている。
尚、接続部３及び蓋部２の内部には芯となる板（厚紙又はプラスチック板）が設けられているが、接続辺３ａ，３ｂには芯が設けられておらず、両側に曲がるように表裏に窪みが形成されている。
【００２３】
従って、蓋部２を閉じた状態では、図２に示すように、蓋部２が本体１の上面を覆い、接続部３が背面部１４に接して第１の底面部４に接続している。つまり、側面から見て、蓋部２と接続部３と第１の底面部４とでコの字形を形成している。
【００２４】
また、蓋部２を開いて広げると、図３に示すように、側面から見て、第１の底面部４と、接続部３と、蓋部２とが一直線の形状となる。
更に、本体１を持ち上げて蓋部２を底面側に折り曲げると、図４に示すように、側面から見て、第１の底面部４と、接続部３と、蓋部２とが三角形の形状となる。図４の状態が、本ペンケースの使用時となる。
【００２５】
［第１の底面部４］
第１の底面部４は、第２の底面部１５の底面に取り付けられ、固定されている。
上述したように、本ペンケースの使用時では、接続部３が背面部１４を縦方向に押し上げるようになっているので、本ペンケースは、図１，４〜６に示すように、正面側が低く、背面側が高くなるものであり、本体１が手前側に傾くので、筆記具等を取り出し易くできるものである。
【００２６】
第１の底面部４は、上述した通り、第２の底面部１５とは別構成となっており、第２の底面部１５の底面に貼付けられている。
また、第１の底面部４の正面側の端辺中央にはマグネット４１が内蔵されており、蓋部２の鉄片２１の表面が接着して固定されるようになっている。
【００２７】
［滑り止め部２２：図７］
滑り止め部２２について図７を参照しながら説明する。図７は、本ペンケースの蓋部が開いた状態の平面図である。
蓋部２の裏面は、長辺中央に鉄片２１が取り付けられており、背面側の端辺と鉄片２１が取り付けられた端辺に沿って帯状の滑り止め部２２ａ，２２ｂが模様で印刷され、更に、中央に時間割表シール２３が貼り付けられるようになっている。
滑り止め部２２は、滑り止めラバープリント加工されたものであり、材質としてはシリコンを用いている。
【００２８】
［使用方法］
本ペンケースは、筆記具を収納してランドセル又はバッグに入れる場合には、蓋部２を閉じて鉄片２１とマグネット１７を接着して固定した箱型とし、使用する場合には、蓋部２を開いて本体１の裏面側まで折り返し、鉄片２１を第１の底面部４のマグネット４１に接着して固定した傾き状態とするものである。
これにより、本ペンケースをトレーのように使用できるものである。
【００２９】
［実施の形態の効果］
本ペンケースによれば、上面が開口する箱型の本体１と、その上面を覆う蓋部２と、本体１の底面に接着する第１の底面部４と、第１の底面部４と蓋部２を接続する接続部３とを備え、接続部３が蓋部２の背面側の端辺に接続すると共に、第１の底面部４の底面側の端辺に接続するものであり、接続部３の接続辺３ａ，３ｂでは折り曲げ可能となっており、蓋部２を開いて底面側に折り返して使用状態にすると、蓋部２の裏面が底面となって接続部３で本体１の背面部１４を持ち上げるようになるので、本体１を斜めに傾けて本体１から筆記具を取り出し易くできる効果がある。
【００３０】
また、本ペンケースによれば、蓋部２が底面側に折り返された使用状態では、第１の底面部４のマグネット４１と蓋部２の鉄片２１の表面が接着して固定され、蓋部２の裏面に滑り止め部２２によって机の上で滑らないようになっているので、本体１が斜めに傾けた状態を保持できる効果がある。
【産業上の利用可能性】
【００３１】
本考案は、蓋を閉じた状態では箱型の形状であるものの、蓋を開いた状態では本体を斜めに傾けて筆記具を取り出し易くしたペンケースに適している。
【符号の説明】
【００３２】
１…本体、  ２…蓋部、  ３…接続部、３ａ，３ｂ…接続辺、  ４…第１の底面部、  １１…正面部、  １２…右側面部、  １３…左側面部、  １４…背面部、  １５…第２の底面部、  １６…ペンホルダー、  １７，４１…マグネット、  ２１…鉄片、  ２２，２２ａ，２２ｂ…滑り止め部、  ２３…時間割表シール
【図１】
0003235145.tif 000003
【図２】
0003235145.tif 000004
【図３】
0003235145.tif 000005
【図４】
0003235145.tif 000006
【図５】
0003235145.tif 000007
【図６】
0003235145.tif 000008
【図７】
0003235145.tif 000009